(57)【要約】【課題】励起光源の励起光出力を可変した場合に、簡素な構成で励起光源と蛍光体の双方の冷却を最適に行う。【解決手段】本開示に係る投射型表示装置は、励起光を出射する励起光源と、前記励起光源からの励起光が集光されて蛍光を出射する蛍光体と、前記励起光源と接続されたヒートシンクと、前記ヒートシンクと前記蛍光体を共に冷却する単一の送風ファンと、外部映像信号の輝度レベルに応じて、前記励起光源の出力を制御する制御部と、を備える。【選択図】図１
2014206581.tif 000002
【特許請求の範囲】
【請求項１】
励起光を出射する励起光源と、
前記励起光源からの励起光が集光されて蛍光を出射する蛍光体と、
前記励起光源と接続されたヒートシンクと、
前記ヒートシンクと前記蛍光体を共に冷却する単一の送風ファンと、
外部映像信号の輝度レベルに応じて、前記励起光源の出力を制御する励起光源制御部と、
を備える、投射型表示装置。
【請求項２】
前記励起光源の出力に応じて前記送風ファンによる送風量を変化させる送風ファン制御部を更に備える、請求項１に記載の投射型表示装置。
【請求項３】
前記送風ファンの冷却風を分離して前記ヒートシンクと前記蛍光体に送るダクトを備える、請求項１に記載の投射型表示装置。
射型表示装置
【請求項４】
前記励起光源は複数のレーザーダイオードから構成され
前記複数のレーザーダイオードが前記ヒートシンク上に面状に配列され、配列の長辺側から配列の短辺方向に沿って前記送風ファンからの冷却風が通る、請求項１に記載の投射型表示装置。
【請求項５】
前記蛍光が入射する空間光変調素子を備える、請求項１に記載の投射型表示装置。
【請求項６】
前記前記励起光源の出力に応じて、前記空間光変調素子の駆動を制御する空間光変調素子制御部を備える、請求項５に記載の投射型表示装置。
【請求項７】
前記蛍光とは波長が異なる光を射出する光源を更に備える、請求項１に記載の投射型投影装置。
【請求項８】
前記蛍光と、前記蛍光とは波長が異なる光を共に出射する、請求項７に記載の投射型投影装置。
【請求項９】
前記光源が前記ヒートシンクに接続された、請求項７に記載の投射型投影装置。
【請求項１０】
前記励起光源からの励起光を、前記蛍光体の表面の略同一箇所に集光する励起光集光光学系を備える、請求項１に記載の投射型表示装置。
【請求項１１】
前記蛍光体から出射される蛍光を集光する蛍光集光光学系を備える、請求項１に記載の投射型表示装置。
【請求項１２】
前記蛍光体から出射される蛍光を集光する蛍光集光光学系を備え、
前記励起光集光光学系の一部が、前記蛍光集光光学系の一部を兼ねる、請求項１０に記載の投射型表示装置。
【請求項１３】
前記励起が前記蛍光体に集光される面から反射して出射する蛍光を前記蛍光集光光学系が集光する、請求項１１に記載の投射型表示装置。
【請求項１４】
励起光を出射する励起光源と、
前記励起光源からの励起光が集光されて蛍光を出射する蛍光体と、
前記励起光源と接続されたヒートシンクと、
前記ヒートシンクと前記蛍光体を共に冷却する単一の送風ファンと、を備える投射型表示装置の制御方法であって、
外部映像信号の輝度レベルに応じて、励起光源の出力を制御することと、
前記励起光源の出力に応じて、前記送風ファンの冷却量を制御することと、
を備える、投射型表示装置の制御方法。
【発明の詳細な説明】
【技術分野】
【０００１】
本開示は、投射型表示装置及び投射型表示装置の制御方法に関する。
【背景技術】
【０００２】
従来、例えば下記の特許文献１，２には、放電ランプのように水銀などを封入したガスを放電させる光源とは異なり、蛍光体に励起光を入射させて、蛍光を発生させる固体光源装置技術、及びこれを用いたプロジェクタ装置技術が開示されている。
【先行技術文献】
【特許文献】
【０００３】
【特許文献１】特開２０１２−１８７６２公報
【特許文献２】特開２０１１−１９７５９３公報
【発明の概要】
【発明が解決しようとする課題】
【０００４】
しかし、上記特許文献１，２に記載された技術では、励起光の光源であるレーザーダイオードを冷却する技術が開示されているが、蛍光体部は冷却されていない構造となっている。光出力の光源を実現する場合、レーザーダイオードだけではなく、蛍光体部を冷却することが必要となる。また、このような固体光源では、励起光源の出力が大きいと、励起光源及び蛍光体の発熱が大きくなり、更に消費電力も増大する問題がある。
【０００５】
そこで、励起光源の励起光出力を可変した場合に、簡素な構成で励起光源と蛍光体の双方の冷却を最適に行うことが求められていた。
【課題を解決するための手段】
【０００６】
本開示によれば、励起光を出射する励起光源と、前記励起光源からの励起光が集光されて蛍光を出射する蛍光体と、前記励起光源と接続されたヒートシンクと、前記ヒートシンクと前記蛍光体を共に冷却する単一の送風ファンと、外部映像信号の輝度レベルに応じて、前記励起光源の出力を制御する励起光源制御部と、を備える、投射型表示装置が提供される。
【０００７】
また、前記励起光源の出力に応じて前記送風ファンによる送風量を変化させる送風ファン制御部を更に備えるものであっても良い。
【０００８】
また、前記送風ファンの冷却風を分離して前記ヒートシンクと前記蛍光体に送るダクトを備えるものであっても良い。
【０００９】
また、前記励起光源は複数のレーザーダイオードから構成され、前記複数のレーザーダイオードが前記ヒートシンク上に面状に配列され、配列の長辺側から配列の短辺方向に沿って前記送風ファンからの冷却風が通るものであっても良い。
【００１０】
また、前記蛍光が入射する空間光変調素子を備えるものであっても良い。
【００１１】
また、前記前記励起光源の出力に応じて、前記空間光変調素子の駆動を制御する空間光変調素子制御部を備えるものであっても良い。
【００１２】
また、前記蛍光とは波長が異なる光を射出する光源を更に備えるものであっても良い。
【００１３】
また、前記蛍光と、前記蛍光とは波長が異なる光を共に出射するものであっても良い。
【００１４】
また、前記光源が前記ヒートシンクに接続されたものであっても良い。
【００１５】
前記励起光源からの励起光を、前記蛍光体の表面の略同一箇所に集光する励起光集光光学系を備えるものであっても良い。
【００１６】
また、前記蛍光体から出射される蛍光を集光する蛍光集光光学系を備えるものであっても良い。
【００１７】
また、前記蛍光体から出射される蛍光を集光する蛍光集光光学系を備え、前記励起光集光光学系の一部が、前記蛍光集光光学系の一部を兼ねるものであっても良い。
【００１８】
また、前記励起光源が前記蛍光体に集光される面から反射して出射する蛍光を前記蛍光集光光学系が集光するものであっても良い。
【００１９】
また、本開示によれば、励起光を出射する励起光源と、前記励起光源からの励起光が集光されて蛍光を出射する蛍光体と、前記励起光源と接続されたヒートシンクと、前記ヒートシンクと前記蛍光体を共に冷却する単一の送風ファンと、を備える投射型表示装置の制御方法であって、外部映像信号の輝度レベルに応じて、励起光源の出力を制御することと、前記励起光源の出力に応じて、前記送風ファンの冷却量を制御することと、を備える、制御方法が提供される。
【発明の効果】
【００２０】
本開示によれば、励起光源の励起光出力を可変した場合に、簡素な構成で励起光源と蛍光体の双方の冷却を最適に行うことができる。
【図面の簡単な説明】
【００２１】
【図１】本開示の一実施形態に係る光源装置の構成を示す模式図である。
【図２】蛍光体が設けられた円盤基板の構成を示す模式図である。
【図３】プロジェクタ装置の構成を示す模式図である。
【図４Ａ】外部映像信号により光源装置とＳＬＭの制御を行わない場合を示す模式図である。
【図４Ｂ】外部映像信号により光源装置とＳＬＭの制御を行わない場合を示す模式図である。
【図５Ａ】外部映像信号により光源装置とＳＬＭの制御を行う場合を示す模式図である。
【図５Ｂ】外部映像信号により光源装置とＳＬＭの制御を行う場合を示す模式図である。
【図６】円盤基板の蛍光体上に集光させた励起光によって励起した蛍光を励起光源側に反射させ、励起光の入射側に蛍光を出射させる構成を示す模式図である。
【図７】図６の構成において、円盤基板と分離ミラーとの間にレンズを設けた構成を示す模式図である。
【図８】図７の構成に対して、第２の光源として青光源を別途設けた構成例を示す模式図である。
【図９】図８の構成において、青光源を励起光源と同じくヒートシンクに接続した例を示す模式図である。
【図１０】ヒートシンクの構成を示す模式図である。
【発明を実施するための形態】
【００２２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２３】
なお、説明は以下の順序で行うものとする。
１．光源装置の構成例
２．プロジェクタ装置の構成例
３．光源装置とＳＬＭの制御について
４．光源装置の他の構成例について
【００２４】
［１．光源装置の構成例］
先ず、図１に基づいて本実施形態に係る光源装置１００の構成について説明する。光源装置１００は、本実施形態に係る投射型表示装置（プロジェクタ装置）５００の光源として用いられる。図１は、光源装置１００の構成を示す模式図である。図１に示すように、装置１００は、ヒートシンク１１０、励起光集光レンズ１１２、送風ファン１１４、送風ダクト１１６、円盤基板１１８、モーター１２０、蛍光集光レンズ１２２、励起光源１２４を有して構成されている。励起光源１２４は、波長帯域が４４０ｎｍ〜４８０ｎｍの励起光を出力する複数のレーザーダイオードから構成され、ヒートシンク１１０に接続されている。複数のレーザーダイオード１２４ａは、ヒートシンク１１０上にアレイ状に配置されている。励起光源１２４からの励起光は、励起光集光レンズ１１２により円盤基板１１８の表面の蛍光体１１８ａの表面の一点に集光される。
【００２５】
図２に示すように、蛍光体１１８ａは、円盤基板１１８上に設けられている。円盤基板１１８は、例えばガラス板から構成される。円盤基板１１８には、モーター１２０が接続されており、モーター１２０の駆動により円盤基板１１８は回転する。蛍光体１１８ａ上に集光された励起光により、蛍光体１１８ａが励起され蛍光が出力される。蛍光は円盤基板１１８の後に設置された蛍光集光レンズ１２２により集光される。
【００２６】
光源装置１００は、送風ファン１１４を備える。送風ファン１１４によって送られた冷却風は、送風ダクト１１６を通り、ヒートシンク１１０と、蛍光体１１８ａが設けられた円盤基板１１８に導入される。従って、この冷却風により、１つの送風ファン１１４によって励起光源１２４と円盤基板１１８を常に同じ割合で冷却することが可能となる。
【００２７】
励起光は蛍光体１１８ａの表面の一点に集光され、そのパワーも強いため、蛍光体１１８ａの表面が加熱される。このため、モーター１２０の駆動により円盤基板１１８を回転させ、励起光が集光する位置を移動させながら冷却風で円盤基板１１８及び蛍光体１１８ａを冷却する。
【００２８】
励起光源１２４からの励起光が明るい場合、励起光源１２４の発熱も大きくなり、蛍光体１１８ａの発熱も大きくなる。そして、励起光源１２４の発熱と蛍光体１１８ａの発熱は比例関係にある。従って、１つの送風ファン１１４によって励起光源１２４と円盤基板１１８を常に同じ割合で冷却することで、励起光源１２４と円盤基板１１８のそれぞれの冷却を過不足なく行うことができる。
【００２９】
［２．プロジェクタ装置の構成例］
次に、図３に基づいて、光源装置１００を用いたプロジェクタ装置２００について説明する。図３は、プロジェクタ装置２００の構成を示す模式図である。図３に示すように、プロジェクタ装置２００は、プロジェクタ制御部２０２、光源駆動制御部２０４、光源装置１００、ＳＬＭ制御部２０６、ＳＬＭ（空間光変調素子）２０８、投射レンズ２１０を有して構成される。
【００３０】
外部より入力された外部映像信号が、プロジェクタ制御部２０２に入力される。そして、プロジェクタ制御部２０２は、光源駆動制御部２０４に対して、励起光源１１４や送風ファン１１４を制御するための制御信号を出力する。光源制駆動制御部２０４は、励起光源制御部２０２ａ及び送風ファン制御部２０２ｂを含み、制御信号に基づいて、励起光源１２４と送風ファン１１４を制御する。
【００３１】
また、プロジェクタ制御部２０２は、内部映像信号をＳＬＭ駆動制御部２０６に出力する。ＳＬＭ制御部２０６は、ＳＬＭ（空間光変調素子）２０８を駆動し、内部映像信号に応じて、光源装置１００からの光を変調する。ＳＬＭ（空間光変調素子）２０８によって変調された光は、投射レンズ２１０を用いて外部に投影される。
【００３２】
ＳＬＭ２０８は、液晶材料で構成された液晶パネル、または微少ミラーを画素数分だけ有したＭＥＭＳ素子などであってもよい。
【００３３】
［３．光源装置とＳＬＭの制御について］
次に、外部映像信号による光源装置１００とＳＬＭ２０８の制御の詳細について説明する。動画映像信号は、シーンによって、暗い場面と明るい場面がある。明るい場面にはＳＬＭ２０８へ入力される光を減少し、かつ、ＳＬＭ２０８に入力する映像信号の信号レベルを増幅することで、暗いシーンはより暗くなり、コントラスト感が上昇する。
【００３４】
このため、プロジェクタ制御部２０２は、外部映像信号を解析し、映像が暗い場面の場合は、光源装置１００の輝度を低下させ、ＳＬＭ２０８に入力する映像信号の信号レベルを増幅する。映像が暗い場面であるか否かは、例えば画面内の最も輝度の高い領域の輝度が最高輝度の５０％以下であるか否かによって判定することができる。
【００３５】
図４Ａ及び図４Ｂは、外部映像信号により光源装置１００とＳＬＭ２０８の制御を行わない場合の画面を示す模式図である。図４Ａは内部映像信号を示しており、図４Ｂは外部映像信号を示している。図４Ｂに示すように、外部から入力される外部映像信号において、輝度が１００％の部位と５０％の部位があるとする。光源装置１００の減光を行わない場合は、図４Ａに示す内部映像信号は、外部映像信号とほぼ同等の信号として、ＳＬＭ２０８を駆動すれば良い。
【００３６】
図５Ａ及び図５Ｂは、外部映像信号により光源装置１００とＳＬＭ２０８の制御を行なう場合の画面を示す模式図である。図５Ａは内部映像信号を示しており、図５Ｂは外部映像信号を示している。ここで、図５Ｂに示すように、外部から入力される外部映像信号の輝度が２０％の部位と１％の部位があるものとする。外部映像信号の中の最大輝度が２０％であるので、光源装置１００において、２０／１００＝１／５の減光を行う。一方、図５Ａに示すように、内部映像信号は、外部から入力される映像信号のほぼ５倍（＝１００／２０とする。このため、ＳＬＭ２０８は５倍の輝度で駆動を行い、光源装置１００からＳＬＭ２０８に照射される照明は１／５の輝度となることから、投射レンズ２１０で投影される映像の輝度は外部から入力された外部映像信号が示すものとほぼ同等となる。
【００３７】
この場合、低階調映像信号の再現性を大きく改善することができる。仮にＳＬＭ２０８の駆動が１％〜１００％の範囲でしか行うことができない場合、図５Ａ及び図５Ｂに示すように、光源装置１００の減光を行わない場合は、表示できる最低の低階調は１％となる。しかし、光源装置１００を１／５の減光とすることで、ＳＬＭ２０８は５倍の輝度で駆動が行うことができるため、最も低い低階調として０．２％の階調まで再現することができる。一般的に低階調の映像は画面全体が暗いシーンが多いため、この制御を行うことで暗いシーンで低階調側の再現性を大幅に改善することができる。
【００３８】
このように、暗い環境下で映像を視聴する場合は、光源装置１００の輝度出力を下げて、黒い映像シーンをより暗くすることで、コントラスト感を上昇させることができる。この制御は、ユーザーからの制御に基づいて行うことも可能である。
【００３９】
光源装置１００の輝度出力を下げるという指示がされた場合、プロジェクタ制御部２０２は光源駆動制御部２０４に対して、励起光源１２４の出力を低下させる制御を行うと同時に、送風ファン１１４に対して、冷却風を減少させるように制御する。これにより、光源制駆動制御部２０４の励起光源制御部２０２ａ及び送風ファン制御部２０２ｂが、制御信号に基づいて、励起光源１２４と送風ファン１１４を制御する。
【００４０】
以上のように、プロジェクタ制御部２０２は、入力された外部映像信号の輝度レベルを判断し、暗い映像シーンにおいては、光源駆動制御部２０４に励起光源１２４の励起光出力を下げるように制御信号を送出する。そして、プロジェクタ制御部２０２は、外部映像信号の輝度レベルを増幅した内部映像信号をＳＬＭ制御部２０６に送出する。
【００４１】
このとき、光源駆動制御部２０４は、励起光源１２４の励起光出力が少なくなるように、励起光源１２４の電流量を調節する。励起光源１２４からの発熱が低下するのと同時に、減少した励起光により蛍光体１１８ａでの発熱量も低下する。これにより、励起光源１２４の各レーザーダイオード１２４ａの寿命を延ばすこともできる。
【００４２】
そして、光源駆動制御部２０４は、映像信号の暗いシーンでは、送風ファン１１４に対して、冷却風を減少させるように冷却制御信号を送り、光源装置１００内の送風ファン１１４を制御する。これにより、送風ファン１１４による風切り音などの騒音が低下し、消費電力を低減することができる。また、送風ファン１１４の寿命を延ばすこともできる。従って、励起光源１２４としてレーザーダイオードやＬＥＤなどを使用し、駆動電流を変化させることで、励起光出力を簡単に可変できるとともに、蛍光を可変できる。従って、固体光源の蛍光出力を減少させる際に、励起光を減少することで、励起光源１２４の発熱を抑制し、プロジェクタ装置２００の静音化が可能となる。
【００４３】
励起光源１２４の励起光出力を下げた場合に、円盤基板１１８及び蛍光体１１８ａの温度も低下するが、本実施形態では、１つの送風ファン１１４により、励起光源１２４と蛍光体１１８ａの双方を冷却することができる。これにより、送風ファン１１４の制御は１つのみで良いという利点がある。従って、光源装置１００と蛍光体１１８ａを個別に制御する場合と比較して、簡素な処理で確実な冷却を実現できる。
【００４４】
［４．光源装置の他の構成例について］
次に、光源装置１００の他の構成例について説明する。図６は、円盤基板１１８の蛍光体１１８ａ上に集光させた励起光によって励起した蛍光を励起光源１２４側に反射させ、励起光の入射側に蛍光を出射させる構成を示している。具体的には、円盤基板１１８の表面をアルミニウム等の鏡面で構成し、その上に蛍光体１１８ａを形成することで、蛍光を励起光源１２４側に反射させることができる。この場合、励起光を集光する光学系の途中に、励起光と蛍光を分離する分離ミラー１２６を設置する。励起光は青色であって、蛍光体がＹＡＧ材料のときは、蛍光は黄色であり、これらの光の波長帯域が異なる場合は、ダイクロイックミラーなどを分離ミラー１２６とする。これにより、励起光は分離ミラー１２６を透過して蛍光体１１８ａに到達し、蛍光は分離ミラー１２６で反射して、蛍光集光レンズ１２２により集光される。従って、励起光と蛍光を分離することができる。
【００４５】
また、図７は、図６の構成において、円盤基板１１８と分離ミラー１２６との間にレンズ１２８を設けた構成を示している。レンズ１２８は、蛍光体１１８ａに向かう励起光に対しては励起光集光レンズとして機能し、蛍光体１１８ａから分離ミラー１２６へ向かう蛍光に対しては蛍光集光レンズとして機能する。このように、励起光を集光する励起光学系の一部が、蛍光を集光する蛍光集光レンズの一部を兼用するようにしてもよい。
【００４６】
また、図８は、図７の構成に対して、第２の光源として青光源３００を別途設けた構成例を示している。蛍光体１１８ａがＹＡＧ材料のときは、蛍光は黄色であり、青光源３００から出射された青色光は青光集光レンズ１３０により集光され、分離ミラー１２６を透過して蛍光とともに蛍光体集光レンズ１２２に入射する。この結果、蛍光体集光レンズ１２２から白色光を照射することができる。
【００４７】
また、図９は、図８の構成において、青光源３００を励起光源１２４と同じくヒートシンク１１０に接続した例を示している。これにより、励起光源１２４と青光源３００を同じヒートシンク１１０で冷却することができ、冷却効率を高めるとともに省スペース化を達成できる。
【００４８】
図１０は、ヒートシンク１１０の構成を示す模式図である。図１０に示すように、ヒートシンク１１０の前面には、励起光源１２４を構成する複数のレーザーダイオード１２４ａが配置される。また、ヒートシンク１１０の後面には、冷却用の複数のフィン１１０ａが設けられている。図１０に示すように、送風ファン１１４から送られる冷却風の方向は複数のフィン１１０ａが延在する長手方向と同じ向きとされる。これにより、ヒートシンク１１０ａの冷却効率を向上させることが可能である。
【００４９】
図１０に示すように、励起光源１２４のレーザーダイオード１２４ａが、２次元の面内に配置されている場合は、送風ファン１１４からの冷却風は、並べられた２次元のレーザーダイオード１２４ａの配列のうち、長辺側よりヒートシンクに流入され、短辺方向に沿って送風することが望ましい。冷却風がヒートシンク１１０を冷却する際には、フィン１１０ａに沿って冷却風の温度が徐々に高くなるため、短辺方向に沿って送風することで、ヒートシンク１１０の領域毎の冷却差を最小限に抑えることが可能である。
【００５０】
以上説明したように本実施形態によれば、従って、１つの送風ファン１１４によって励起光源１２４と円盤基板１１８を冷却することにより、簡素な構成で励起光源１２４と円盤基板１１８を共に冷却することができる。
【００５１】
また、暗い映像シーンにおいては、光源駆動制御部２０４に励起光源１２４の励起光出力を下げるとともに、外部映像信号の輝度レベルを増幅した内部映像信号によりＳＬＭ２０８を制御する。これにより、励起光源１２４の励起光出力を低下させるととともに、減少した励起光により蛍光体１１８ａでの発熱量も低下させることができる。従って、冷却ファンによる冷却量も低下させることが可能となる。
【００５２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５３】
なお、以下のような構成も本開示の技術的範囲に属する。
（１）励起光を出射する励起光源と、
前記励起光源からの励起光が集光されて蛍光を出射する蛍光体と、
前記励起光源と接続されたヒートシンクと、
前記ヒートシンクと前記蛍光体を共に冷却する単一の送風ファンと、
外部映像信号の輝度レベルに応じて、前記励起光源の出力を制御する励起光源制御部と、
を備える、投射型表示装置。
（２）前記励起光源の出力に応じて前記送風ファンによる送風量を変化させる送風ファン制御部を更に備える、前記（１）に記載の投射型表示装置。
（３）前記送風ファンの冷却風を分離して前記ヒートシンクと前記蛍光体に送るダクトを備える、前記（１）に記載の投射型表示装置。
射型表示装置
（４）前記励起光源は複数のレーザーダイオードから構成され
前記複数のレーザーダイオードが前記ヒートシンク上に面状に配列され、配列の長辺側から配列の短辺方向に沿って前記送風ファンからの冷却風が通る、前記（１）に記載の投射型表示装置。
（５）前記蛍光が入射する空間光変調素子を備える、前記（１）に記載の投射型表示装置。
（６）前記前記励起光源の出力に応じて、前記空間光変調素子の駆動を制御する空間光変調素子制御部を備える、前記（５）に記載の投射型表示装置。
（７）前記蛍光とは波長が異なる光を射出する光源を更に備える、前記（１）に記載の投射型投影装置。
（８）前記蛍光と、前記蛍光とは波長が異なる光を共に出射する、前記（７）に記載の投射型投影装置。
（９）前記光源が前記ヒートシンクに接続された、前記（７）に記載の投射型投影装置。
（１０）前記励起光源からの励起光を、前記蛍光体の表面の略同一箇所に集光する励起光集光光学系を備える、前記（１）に記載の投射型表示装置。
（１１）前記蛍光体から出射される蛍光を集光する蛍光集光光学系を備える、前記（１）に記載の投射型表示装置。
（１２）前記蛍光体から出射される蛍光を集光する蛍光集光光学系を備え、
前記励起光集光光学系の一部が、前記蛍光集光光学系の一部を兼ねる、前記（１０）に記載の投射型表示装置。
（１３）前記励起光源が前記蛍光体に集光される面から反射して出射する蛍光を前記蛍光集光光学系が集光する、前記（１１）に記載の投射型表示装置。
（１４）励起光を出射する励起光源と、
前記励起光源からの励起光が集光されて蛍光を出射する蛍光体と、
前記励起光源と接続されたヒートシンクと、
前記ヒートシンクと前記蛍光体を共に冷却する単一の送風ファンと、を備える投射型表示装置の制御方法であって、
外部映像信号の輝度レベルに応じて、励起光源の出力を制御することと、
前記励起光源の出力に応じて、前記送風ファンの冷却量を制御することと、
を備える、制御方法。
【符号の説明】
【００５４】
１００    光源装置
１１０    ヒートシンク
１１４    送風ファン
１１８ａ  蛍光体
１２４    励起光源
２００    プロジェクタ装置
２０２    プロジェクタ制御部
【図１】
2014206581.tif 000003
【図２】
2014206581.tif 000004
【図３】
2014206581.tif 000005
【図４Ａ】
2014206581.tif 000006
【図４Ｂ】
2014206581.tif 000007
【図５Ａ】
2014206581.tif 000008
【図６】
2014206581.tif 000009
【図７】
2014206581.tif 000010
【図８】
2014206581.tif 000011
【図９】
2014206581.tif 000012
【図１０】
2014206581.tif 000013
【図５Ｂ】
2014206581.tif 000014